(57)【要約】      （修正有）【課題】光学系全体が小型で高ズーム比で、全ズーム範囲及び全物体距離にわたり高い光学性能が容易に得られ、フォーカシングに際して撮影画角の変化が少ないズームレンズを提供する。【解決手段】物体側から像側へ順に、正負正負正負の屈折力の第１レンズ群Ｌ１乃至第６レンズ群Ｌ６を有し、ズーミングに際して隣り合うレンズ群の間隔が変化するズームレンズにおいて、無限遠から近距離へのフォーカシングに際して第６レンズ群は像側へ移動し、広角端における第５レンズ群Ｌ５の最も物体側のレンズ面から像面までの距離Ｄ5、広角端において無限遠にフォーカスしているときの第６レンズ群の最も物体側のレンズ面から像面までの距離Ｄ6、広角端における全系の焦点距離ｆW、広角端において無限遠にフォーカスしているときの第５レンズ群と第６レンズ群の合成焦点距離ｆ5,6を各々適切に設定する。【選択図】図１
2015172612.tif 000002
【特許請求の範囲】
【請求項１】
物体側から像側へ順に、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群を有し、ズーミングに際して隣り合うレンズ群の間隔が変化するズームレンズにおいて、無限遠から近距離へのフォーカシングに際して前記第６レンズ群は像側へ移動し、広角端における前記第５レンズ群の最も物体側のレンズ面から像面までの距離をＤ5、広角端において無限遠にフォーカスしているときの前記第６レンズ群の最も物体側のレンズ面から像面までの距離をＤ6、広角端における全系の焦点距離をｆW、広角端において無限遠にフォーカスしているときの前記第５レンズ群と前記第６レンズ群の合成焦点距離をｆ5,6とするとき、
０．７５＜Ｄ6／Ｄ5＜０．９８
２．３＜ｆ5,6／ｆW＜６．０
なる条件式を満足することを特徴とするズームレンズ。
【請求項２】
前記第６レンズ群の焦点距離をｆ6とするとき、
０．４＜｜ｆ6｜／ｆW＜２．０
なる条件式を満足することを特徴とする請求項１のズームレンズ。
【請求項３】
前記第５レンズ群の焦点距離をｆ5、前記第６レンズ群の焦点距離をｆ6とするとき、
０．５＜ｆ5／｜ｆ6｜＜０．９
なる条件式を満足することを特徴とする請求項１又は２のズームレンズ。
【請求項４】
広角端において無限遠にフォーカスしているときの前記第５レンズ群と前記第６レンズ群の合成横倍率をβW5,6、望遠端において無限遠にフォーカスしているときの前記第５レンズ群と前記第６レンズ群の合成横倍率をβt5,6とするとき、
｜βt5,6／βW5,6｜＜１．５
なる条件式を満足することを特徴とする請求項１乃至３のいずれか１項のズームレンズ。
【請求項５】
ズーミングに際して、前記第１レンズ群乃至前記第６レンズ群が移動することを特徴とする請求項１乃至４のいずれか１項のズームレンズ。
【請求項６】
前記第６レンズ群の像側にズーミングに際して移動する正の屈折力の第７レンズ群を有することを特徴とする請求項１乃至５のいずれか１項のズームレンズ。
【請求項７】
前記第６レンズ群は、物体側から像側へ順に、正レンズ、負レンズより構成されることを特徴とする請求項１乃至６のいずれか１項のズームレンズ。
【請求項８】
請求項１乃至７のいずれか１項のズームレンズと、該ズームレンズによって形成された像を受光する撮像素子を有することを特徴とする撮像装置。
【発明の詳細な説明】
【技術分野】
【０００１】
本発明はズームレンズ及びそれを有する撮像装置に関し、特にスチルカメラ、ビデオカメラ、デジタルスチルカメラ、ＴＶカメラ、そして監視用カメラ等の撮像装置の撮像光学系に好適なものである。
【背景技術】
【０００２】
撮像装置に用いられる撮影レンズには、全系が小型であること、高ズーム比のズームレンズであること、無限遠から近距離に至る全物体距離にわたり高い光学性能を有すること、フォーカシングに際して撮影画角の変化が少ないこと等が要求されている。特に、動画撮影においては、フォーカシングに際して撮影画角の変化が少ないことが強く要求されている。
【０００３】
高ズーム比を実現しやすいズームレンズとして、最も物体側に正の屈折力のレンズ群が配置されたポジティブリードタイプのズームレンズが知られている。また、光学系全体の小型化が容易なズームレンズとして、物体側から数えて第２レンズ群以降のレンズ群を光軸方向に移動させてフォーカシングを行うインナーフォーカス方式又はリアフォーカス方式のズームレンズが知られている。
【０００４】
特許文献１乃至３は、物体側より像側へ順に正、負、正、負、正、負の屈折力の第１〜第６レンズ群より成り、ズーミングに際して隣り合うレンズ群の間隔が変化し、フォーカシングに際して第６レンズ群が移動するズームレンズを開示している。また、特許文献３は、物体側から像側へ順に、正，負，正，負，正，負，正の屈折力の第１〜第７レンズ群より成り、ズーミングに際して隣り合うレンズ群の間隔が変化し、フォーカシングに際して第６レンズ群が移動するズームレンズを開示している。
【先行技術文献】
【特許文献】
【０００５】
【特許文献１】特開平２−３１６２４９号公報
【特許文献２】特開平０４−１８６２１２号公報
【特許文献３】特開２００４−３１７８６７号公報
【発明の概要】
【発明が解決しようとする課題】
【０００６】
ポジティブリード型のズームレンズにおいて、上記の要求を満足するには、ズームレンズを構成する各要素を適切に設定することが重要となってくる。例えばズームタイプ（レンズ群の数や各レンズ群の屈折力、ズーミングに際しての移動条件等）、フォーカス用のレンズ群の選定やフォーカス用のレンズ群のレンズ構成等を適切に設定することが重要になってくる。これらの構成が適切でないと、高ズーム比を実現しようとした場合に、全系が大型化したり、フォーカシングに伴う撮影画角の変化が増大したりする。
【課題を解決するための手段】
【０００７】
本発明のズームレンズは、物体側から像側へ順に、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群を有し、ズーミングに際して隣り合うレンズ群の間隔が変化するズームレンズにおいて、無限遠から近距離へのフォーカシングに際して前記第６レンズ群は像側へ移動し、広角端における前記第５レンズ群の最も物体側のレンズ面から像面までの距離をＤ5、広角端において無限遠にフォーカシングしているときの前記第６レンズ群の最も物体側のレンズ面から像面までの距離をＤ6、広角端における全系の焦点距離をｆW、広角端において無限遠にフォーカスしているときの前記第５レンズ群と前記第６レンズ群の合成焦点距離をｆ5,6とするとき、
０．７５＜Ｄ6／Ｄ5＜０．９８
２．３＜ｆ5,6／ｆW＜６．０
なる条件式を満足することを特徴としている。
【発明の効果】
【０００８】
本発明によれば、光学系全体が小型で、高ズーム比で、フォーカシングに伴う撮影画角の変化が少ないズームレンズが得られる。
【図面の簡単な説明】
【０００９】
【図１】（Ａ），（Ｂ），（Ｃ）  本発明の実施例１の物体距離無限遠での広角端，中間のズーム位置，望遠端におけるレンズ断面図
【図２】（Ａ），（Ｂ），（Ｃ）  本発明の実施例１の物体距離無限遠での広角端，中間のズーム位置，望遠端における収差図
【図３】（Ａ），（Ｂ），（Ｃ）  本発明の実施例２の物体距離無限遠での広角端，中間のズーム位置，望遠端におけるレンズ断面図
【図４】（Ａ），（Ｂ），（Ｃ）  本発明の実施例２の物体距離無限遠での広角端，中間のズーム位置，望遠端における収差図
【図５】（Ａ），（Ｂ），（Ｃ）  本発明の実施例３の物体距離無限遠での広角端，中間のズーム位置，望遠端におけるレンズ断面図
【図６】（Ａ），（Ｂ），（Ｃ）  本発明の実施例３の物体距離無限遠での広角端，中間のズーム位置，望遠端における収差図
【図７】本発明のズームレンズの基本原理を示す概念図
【図８】本発明の撮像装置の要部概略図
【発明を実施するための形態】
【００１０】
以下に本発明の好ましい実施の形態を、添付の図面に基づいて詳細に説明する。本発明のズームレンズは、物体側から像側へ順に、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群を有する。
【００１１】
ズーミングに際して隣り合うレンズ群の間隔が変化する。無限遠から近距離へのフォーカシングに際して第６レンズ群は像側へ移動する。尚、第６レンズ群の像側に正の屈折力の第７レンズ群が配置される場合もある。また、ズームレンズを構成する各レンズ群は、ズーミング時の間隔変化を基準として分けられており、各レンズ群は１枚または複数枚のレンズで構成されている。
【００１２】
図１（Ａ），（Ｂ），（Ｃ）は本発明の実施例１のズームレンズの広角端（短焦点距離端），中間ズーム位置，望遠端（長焦点距離端）におけるレンズ断面図（物体距離 無限遠）である。図２（Ａ），（Ｂ），（Ｃ）はそれぞれ実施例１のズームレンズの広角端、中間ズーム位置、望遠端における収差図（物体距離 無限遠）である。実施例１はズーム比６．６８、開口比３．６３〜５．８８、半画角３６．８２°〜６．３９°程度のズームレンズである。
【００１３】
図３（Ａ），（Ｂ），（Ｃ）は本発明の実施例２のズームレンズの広角端，中間ズーム位置，望遠端におけるレンズ断面図（物体距離 無限遠）である。図４（Ａ），（Ｂ），（Ｃ）はそれぞれ実施例２のズームレンズの広角端，中間ズーム位置，望遠端における収差図（物体距離 無限遠）である。実施例２はズーム比６．６８、開口比３．６３〜５．７９、半画角３６．８２°〜６．３９°程度のズームレンズである。
【００１４】
図５（Ａ），（Ｂ），（Ｃ）は本発明の実施例３のズームレンズの広角端，中間ズーム位置，望遠端におけるレンズ断面図（物体距離 無限遠）である。図６（Ａ），（Ｂ），（Ｃ）はそれぞれ実施例３のズームレンズの広角端，中間ズーム位置，望遠端における収差図（物体距離 無限遠）である。実施例３はズーム比６．６８、開口比３．６３〜５．７３、半画角３６．８２°〜６．３９°程度のズームレンズである。
【００１５】
図７は本発明のズームレンズの一部分の光学作用の模式図である。図８は本発明のズームレンズを備えるデジタルスチルカメラ（撮像装置）の要部概略図である。
【００１６】
各実施例のズームレンズはビデオカメラやデジタルスチルカメラ、銀塩フィルムカメラ、ＴＶカメラなどの撮像装置に用いられる撮像光学系である。尚、各実施例のズームレンズは投射装置（プロジェクタ）用の投射光学系として用いることもできる。レンズ断面図において、左方が物体側（前方）で、右方が像側（後方）である。また、レンズ断面図において、ｉを物体側からのレンズ群の順番とすると、Ｌｉは第ｉレンズ群を示す。
【００１７】
図１の実施例１、図５の実施例３のレンズ断面図において、Ｌ１は正の屈折力（光学的パワー＝焦点距離の逆数）の第１レンズ群、Ｌ２は負の屈折力の第２レンズ群、Ｌ３は正の屈折力の第３レンズ群、Ｌ４は負の屈折力の第４レンズ群である。Ｌ５は正の屈折力の第５レンズ群、Ｌ６は負の屈折力の第６レンズ群である。実施例１，３は６群ズームレンズである。
【００１８】
図３の実施例２のレンズ断面図において、Ｌ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は正の屈折力の第５レンズ群である。Ｌ６は負の屈折力の第６レンズ群、Ｌ７は正の屈折力の第７レンズ群である。実施例２は７群ズームレンズである。
【００１９】
レンズ断面図において、ＳＰは開放Ｆナンバー（Ｆｎｏ）の光束を決定（制限）する開口絞りである。ＩＰは像面である。像面ＩＰは、ビデオカメラやデジタルスチルカメラの撮影光学系としてズームレンズを使用する際には、ＣＣＤセンサやＣＭＯＳセンサなどの固体撮像素子（光電変換素子）の撮像面に相当する。銀塩フィルムカメラの撮影光学系としてズームレンズを使用する際には、フィルム面に相当する。矢印は、広角端から望遠端へのズーミング（変倍）における各レンズ群の移動軌跡と、無限遠から近距離へのフォーカシングにおける第６レンズ群の移動方向を示している。
【００２０】
収差図においてＦｎｏはＦナンバー、ωは半画角（度）であり、光線追跡値による半画角である。球面収差図において、実線はｄ線（波長５８７．５６ｎｍ）である。非点収差図においてＳはｄ線におけるサジタル像面、Ｍはｄ線におけるメリディオナル像面である。歪曲収差はｄ線について示している。尚、以下の各実施例において広角端と望遠端は変倍用のレンズ群が機構上、光軸上を移動可能な範囲の両端に位置したときのズーム位置をいう。
【００２１】
本発明のズームレンズでは、高ズーム比を確保しつつ、全ズーム範囲及び全物体距離にわたり諸収差を良好に補正した高い光学性能を有している。
【００２２】
次に本発明のズームレンズのレンズ構成の特徴について説明する。フォーカシングによる撮影画角の変化を低減させるためには、変倍分担の小さいレンズ群を用いてフォーカシングを行うことが望ましい。次にその光学的な基本原理を説明する。
【００２３】
図７は光軸上の点Ｏ１と点Ｏ２にある物体から出射した光線が、像面ＩＰの点ｈに結像する様子を表している。物点が点Ｏ１と点Ｏ２にあるときの撮影倍率をβ１、β２とすると、それぞれの物高はｈ／β１、ｈ／β２となる。フォーカシングによる撮影画角の変化をなくすためには、図７のように各物体距離における物高ｈ／β１、物高ｈ／β２が撮影画角αとなる直線上にのればよい。
【００２４】
変倍分担の大きいレンズ群を用いてフォーカシングを行うと、レンズ群の移動に伴って撮影画角αが大きく変化してしまう。特にズームレンズを構成するレンズ群のうち、大きな変倍比をもつレンズ群を用いてフォーカシングを行うと、このときの撮影画角の変化が大きくなってくる。また、ズームレンズの全系を小型化するためには、フォーカス用のレンズ群の屈折力を強くし、無限遠から至近距離へのフォーカシングに際しての移動量を少なくする事が好ましい。
【００２５】
更に、広角端において、所定の長さのバックフォーカスを確保するためには、正の屈折力のレンズ群を像側へ近づけて配置することが望ましい。正の屈折力のレンズ群が像面から大きく離れると、広角端において所定の長さのバックフォーカスを確保するのが困難になるとともに全系が大型化してくる。
【００２６】
以上の理由により、各実施例では変倍分担が小さく、且つ屈折力が強い第６レンズ群でフォーカシングを行い、更に正の屈折力の第５レンズ群を像側に配置している。
第６レンズ群Ｌ６は正レンズと負レンズより構成している。
【００２７】
広角端における第５レンズ群Ｌ５の最も物体側のレンズ面から像面までの距離をＤ5とする。広角端において無限遠にフォーカスしているときの第６レンズ群Ｌ６の最も物体側のレンズ面から像面までの距離をＤ6とする。広角端における全系の焦点距離をｆWとする。広角端において無限遠にフォーカスしているときの第５レンズ群Ｌ５と第６レンズ群Ｌ６の合成焦点距離をｆ5,6とする。このとき、
０．７５＜Ｄ6／Ｄ5＜０．９８    ・・・（１）
２．３＜ｆ5,6／ｆW＜６．０      ・・・（２）
なる条件式を満足する。
【００２８】
次に前述の条件式の技術的意味について説明する。条件式（１）と条件式（２）は、第６レンズ群Ｌ６と、その物体側に位置する第５レンズ群Ｌ５の位置関係及び屈折力に関する。
【００２９】
条件式（１）の上限を超えると、第５レンズ群Ｌ５と第６レンズ群Ｌ６の間隔が狭くなり、第５レンズ群Ｌ５と第６レンズ群Ｌ６の正の合成屈折力が弱くなる。そのため、条件式（２）を満足しつつ、所定のフォーカス敏感度を確保しようとすると、第５レンズ群Ｌ５の正の屈折力が強くなり、諸収差の発生が多くなり、高い光学性能を得るのが困難となる。条件式（１）の下限を超えて、第５レンズ群Ｌ５が像面から遠ざかると、広画角化が困難となる。
【００３０】
条件式（２）の上限を超えて、第５レンズ群Ｌ５と第６レンズ群Ｌ６の正の合成屈折力が弱くなると、ズーミングに際して像面変動が増大し、この補正が困難となる。条件式（２）の下限を超えて、第５レンズ群Ｌ５と第６レンズ群Ｌ６の正の合成屈折力が強くなると、球面収差とコマ収差が増大し、これらの諸収差の補正が困難となる。更に好ましくは条件式（１）、（２）の数値範囲を次の如く設定するのが良い。
０．８＜Ｄ6／Ｄ5＜０．９５    ・・・（１ａ）
２．３＜ｆ5,6／ｆW＜４．５      ・・・（２ａ）
各実施例によればフォーカシングによる撮影画角の変化が少なく、広画角かつ全系が小型なズームレンズを得ることができる。更に好ましくは次の条件式のうち１以上を満足するのが良い。第６レンズ群Ｌ６の焦点距離をｆ6とする。第５レンズ群Ｌ５の焦点距離をｆ5とする。広角端において無限遠にフォーカスしているときの第５レンズ群Ｌ５と、第６レンズ群Ｌ６の合成横倍率をβW5,6とする。望遠端において無限遠にフォーカスしているときの第５レンズ群Ｌ５と、第６レンズ群Ｌ６の合成横倍率をβt5,6とする。このとき、次の条件式のうち１以上を満足するのが良い。
【００３１】
０．４＜｜ｆ6｜／ｆW＜２．０    ・・・（３）
０．５＜ｆ5／｜ｆ6｜＜０．９    ・・・（４）
｜βt5,6／βW5,6｜＜１．５        ・・・（５）
【００３２】
次に前述の条件式の技術的意味について説明する。条件式（３）は、第６レンズ群Ｌ６の屈折力に関する。条件式（３）の上限を超えて負の屈折力が弱くなると（負の屈折力の絶対値が小さくなると）、所定のフォーカス敏感度を確保することが困難となり、フォーカシングに際しての移動量が増大し、全系の小型化が困難となる。条件式（３）の下限を超えて負の屈折力が強くなると（負の屈折力の絶対値が大きくなると）、フォーカシングに際して球面収差、像面湾曲の変動が増大し、これらの諸収差の補正が困難となる。
【００３３】
条件式（４）は、第５レンズ群Ｌ５の焦点距離と第６レンズ群Ｌ６の焦点距離の比に関する。条件式（４）の上限を超えて第５レンズ群Ｌ５の正の屈折力が弱くなると、広画角化が困難となる。下限を超えて第５レンズ群Ｌ５の正の屈折力が強くなると、球面収差やコマ収差が増大し、これらの諸収差の補正が困難となる。
【００３４】
条件式（５）は、広角端と望遠端における第５レンズ群Ｌ５と第６レンズ群Ｌ６の合成横倍率の比に関する。条件式（５）の上限を超えて合成横倍率の比が大きくなるとズーミングに際して収差変動が増大し、これを補正するためにレンズの数が増大し、全系が大型化してしまう。更に、好ましくは条件式（３）乃至（５）の数値範囲を次の如く設定するのが良い。
【００３５】
１．５＜｜ｆ6｜／ｆW＜２．０        ・・・（３ａ）
０．６５＜ｆ5／｜ｆ6｜＜０．８５    ・・・（４ａ）
｜βt5,6／βW5,6｜＜１．３            ・・・（５ａ）
以上のように各実施例によれば、広角端における撮影画角が７３．６度程度で、全系が小型でフォーカシングによる撮影画角の変化が少ないズームレンズが容易に得られる。
【００３６】
次に各実施例のレンズ構成について説明する。実施例１は、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５、負の屈折力の第６レンズ群Ｌ６より構成されている。
【００３７】
ズーミングに際して、隣り合うレンズ群の間隔が変化する。望遠端における各レンズ群の間隔は広角端における各レンズ群の間隔に比べて次のとおり変化する。第１レンズ群Ｌ１と第２レンズ群Ｌ２の間隔は大きくなる。第２レンズ群Ｌ２と第３レンズ群Ｌ３の間隔は小さくなる。第３レンズ群Ｌ３と第４レンズ群Ｌ４の間隔は大きくなる。第４レンズ群Ｌ４と第５レンズ群Ｌ５の間隔は小さくなる。第５レンズ群Ｌ５と第６レンズ群Ｌ６の間隔は大きくなる。ズーミングに際して第１レンズ群Ｌ１乃至第６レンズ群Ｌ６が互いに異なった軌跡で移動する。
【００３８】
広角端から望遠端へのズーミングに際して、第１レンズ群Ｌ１乃至第４レンズ群Ｌ４で変倍を行い、変倍によって移動する像面を、第５レンズ群Ｌ５と第６レンズ群Ｌ６の移動によって補正している。全てのレンズ群が互いに異なった軌跡で移動することで、必要な変倍を得るとともに、ズーミングに伴う諸収差の変動を軽減している。また、変倍分担の小さい第６レンズ群Ｌ６を像側に移動させることで無限遠から至近距離までのフォーカシングを行っている。これによってフォーカシングに際しての撮影画角の変化を低減している。
【００３９】
また第６レンズ群Ｌ６を正レンズと負レンズより構成し、フォーカシングに際しての収差、特に色収差の補正を容易にしている。
【００４０】
実施例２は正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５、負の屈折力の第６レンズ群Ｌ６、正の屈折力の第７レンズ群Ｌ７より構成されている。
【００４１】
ズーミングに際して、隣り合うレンズ群の間隔が変化する。望遠端における各レンズ群の間隔は広角端における各レンズ群の間隔に比べて次のとおり変化する。第１レンズ群Ｌ１と第２レンズ群Ｌ２の間隔は大きくなる。第２レンズ群Ｌ２と第３レンズ群Ｌ３の間隔は小さくなる。第３レンズ群Ｌ３と第４レンズ群Ｌ４の間隔は大きくなる。第４レンズ群Ｌ４と第５レンズ群Ｌ５の間隔は小さくなる。第５レンズ群Ｌ５と第６レンズ群Ｌ６の間隔は大きくなる。第６レンズ群Ｌ６と第７レンズ群Ｌ７の間隔は大きくなる。
【００４２】
ズーミングに際して第１レンズ群Ｌ１乃至第７レンズ群Ｌ７が互いに異なった軌跡で移動する。広角端から望遠端へのズーミングに際して、第１レンズ群Ｌ１乃至第４レンズ群Ｌ４で変倍を行い、変倍によって移動する像面を、第５レンズ群Ｌ５、第６レンズ群Ｌ６、第７レンズ群の移動によって補正している。全てのレンズ群が互いに異なった軌跡で移動することで、必要な変倍を得るとともに、ズーミングに伴う諸収差の変動を軽減している。また、変倍分担の小さい第６レンズ群Ｌ６を像側に移動させることで無限遠から至近距離までのフォーカシングを行っている。
【００４３】
これによりフォーカシングに際しての撮影画角の変化を低減している。また第６レンズ群Ｌ６を正レンズと負レンズより構成し、フォーカシングに際しての収差、特に色収差の補正を容易にしている。
【００４４】
実施例３において、各レンズ群の数、各レンズ群の屈折力、ズーミングに際しての各レンズ群の間隔変化は実施例１と同じである。ズーミングに際して第１レンズ群Ｌ１乃至第６レンズ群Ｌ６が移動すること、フォーカシングに際して第６レンズ群Ｌ６が移動することも実施例１と同じである。
【００４５】
本発明のズームレンズを撮影光学系として用いたデジタルスチルカメラの実施例を説明する。図８において、１０はカメラ本体、１１は実施例１乃至３で説明したいずれかのズームレンズによって構成された撮影光学系である。１２はカメラ本体に内蔵され、撮影光学系１１によって形成された被写体像を受光するＣＣＤセンサやＣＭＯＳセンサ等の固体撮像素子（光電変換素子）である。尚、各実施例のズームレンズは投射装置（プロジェクタ）用の投射光学系として用いることもできる。
【００４６】
以下、実施例１乃至３に対応する数値実施例１乃至３の具体的な数値データを示す。各数値実施例においてｉは物体側から数えた順序を示し、ｒｉは第ｉ番目の光学面（第ｉ面）の曲率半径である。ｄｉは第ｉ面と第（ｉ＋１）面との間の軸上間隔である。ｎｄｉ，νｄｉはそれぞれｄ線に対する第ｉ番目の光学部材の材料の屈折率、アッベ数である。また非球面係数はＸを光軸方向の面頂点からの変移量、ｈを光軸と垂直な方向の光軸からの高さ、ｒを近軸曲率半径、ｋを円錐定数、Ａ４，Ａ６，Ａ８，Ａ１０，Ａ１２・・・を各次数の非球面係数とするとき、
【００４７】
【数１】
2015172612.tif 000003
【００４８】
で表す。なお、各非球面係数における「ｅ±ＸＸ」は「×１０±XX」を意味している。また前記条件式と各数値実施例との関係を表１に示す。 
【００４９】
数値実施例１
面データ                         
面番号    r          d          nd        νd      有効径
1     101.086      1.50      1.90200     25.1      57.55 
2      60.014      8.68      1.59522     67.7      54.75 
3    -557.021      0.15                            53.81 
4      43.900      3.95      1.59522     67.7      45.04 
5      72.839      (可変)                          43.71 
6*     54.680      0.05      1.51421     51.4      29.40 
7      54.258      1.15      1.75500     52.3      29.32 
8      15.063      7.27                            22.41 
9     -38.445      1.00      1.80400     46.6      21.42 
10     63.528      0.12                            20.38 
11     32.540      4.50      1.84666     23.8      20.11 
12    -36.500      0.65                            19.37 
13    -26.389      0.90      1.83481     42.7      18.98 
14     38.660      2.30      1.72000     50.2      17.81 
15    941.857      (可変)                          17.41 
16(絞り)∞         0.71                            18.22 
17     28.089      4.40      1.60342     38.0      19.07 
18    -40.851      0.15                            18.97 
19     37.223      4.47      1.57250     57.7      18.02 
20    -24.315      1.00      1.90200     25.1      17.24 
21   1585.050      (可変)                           16.69 
22    -51.167      2.23      1.65160     58.5      16.28 
23    -21.872      0.90      1.80100     35.0      16.14 
24   -208.938      (可変)                           16.07 
25    64.407       4.48      1.58313     59.4      18.96 
26*  -33.496       (可変)                           19.57 
27   -73.870       3.15      1.73800     32.3      19.79 
28   -22.372       1.88                            20.08 
29   -19.675       1.20      1.80400     46.6      19.35 
30   276.645       (可変)                           20.44 
像面    ∞                    
【００５０】
非球面データ                              
第6面                              
K= 0.00E+00       A 4= 1.23460E-06     A 6=-8.58884E-09
A 8=-1.42939E-11  A10= 1.62302E-13
第26面                              
K =  0.00E+00     A 4= 2.24989E-05     A 6= 2.19865E-08
A 8= 4.52344E-11  A10=-3.10259E-13
各種データ               
ズーム比      6.68          
広角      中間        望遠
焦点距離     28.90     51.17      193.10 
Fナンバー     3.63      4.39        5.88 
半画角（度） 36.82     22.92        6.39 
像高         21.64     21.64       21.64 
レンズ全長  132.70    149.90     182.70 
BF           39.40     49.73      66.13 
d5            1.05     17.04      47.66 
d15          23.25     15.49       1.70 
d21           1.71      2.91       6.77 
d24           9.51      6.33       1.00 
d26           1.00      1.63       2.65 
d30          39.40     49.73      66.13 
入射瞳位置     31.60    63.96     204.34 
射出瞳位置    -25.34   -22.91     -20.50 
前側主点位置   47.60    79.09     -32.98 
後側主点位置   10.50    -1.44    -126.97 
ズームレンズ群データ                    
群   始面    焦点距離  レンズ構成長  前側主点位置  後側主点位置
1      1      95.39      14.28       1.79          -7.00 
2      6     -16.11      17.93       3.99          -8.38 
3     16      25.92      10.73       0.89          -5.87 
4     22     -63.51       3.13       0.13          -1.72 
5     25      38.44       4.48       1.89          -0.99 
6     27     -52.46       6.23       5.19           0.81 
単レンズデータ     
レンズ  始面    焦点距離
1      1     -166.64 
2      2       91.50 
3      4      176.65 
4      6   -14229.65 
5      7      -27.97 
6      9      -29.66 
7     11       20.95 
8     13      -18.67 
9     14       55.93 
10     17       28.26 
11     19       26.39 
12     20      -26.54 
13     22       56.92 
14     23      -30.56 
15     25       38.44 
16     27       42.38 
17     29      -22.81 
【００５１】
数値実施例２
単位     mm                    
面データ                         
面番号    r          d          nd        νd      有効径
1     112.111      1.50      1.90200      25.1      55.83 
2      63.783      7.65      1.59522      67.7      53.20 
3    -815.655      0.15                             52.28 
4      46.622      4.39      1.59522      67.7      44.72 
5      96.784      (可変)                           43.39 
6*     71.119      0.05      1.51421      51.4      28.37 
7      64.670      1.15      1.77250      49.6      28.30 
8      15.484      6.56                             21.89 
9     -40.234      1.00      1.80400      46.6      21.11 
10     53.490      0.12                             20.06 
11     33.978      4.46      1.84666      23.8      19.89 
12    -34.372      0.73                             19.22 
13    -24.303      0.90      1.83481      42.7      18.84 
14   -750.571      1.34      1.79952      42.2      18.14 
15   -290.483      (可変)                           17.81 
16(絞り)     ∞     0.71                            17.94 
17     28.658      4.33      1.61293      37.0      18.73 
18    -38.328      0.15                             18.63 
19     42.217      4.61      1.51633      64.1      17.70 
20    -21.869      1.00      1.84666      23.8      16.86 
21   -400.715      (可変)                           16.40 
22    -37.898      2.11      1.59522      67.7      15.82 
23    -22.393      0.90      1.80100      35.0      15.72 
24   -141.523      (可変)                           15.78 
25     63.953      5.05      1.58313      59.4      20.13 
26*   -28.425      (可変)                           20.83 
27    -61.119      3.04      1.80518      25.4      21.01 
28    -23.815      2.53                             21.32 
29    -20.158      1.20      1.83400      37.2      20.28 
30    652.520      (可変)                           21.48 
31   -125.760      1.50      1.90270      31.0      26.35 
32    -94.854      (可変)                           26.80 
像面     ∞                    
【００５２】
非球面データ                              
第6面                              
K  = 0.00E+00     A 4= 3.31961E-06     A 6= 1.83408E-09
A 8=-7.26989E-11  A10= 3.50706E-13
第26面                              
K  = 0.00E+00     A 4= 2.15672E-05     A 6= 2.23130E-08
A 8=-3.03500E-11  A10= 6.40463E-15
各種データ               
ズーム比      6.68          
広角       中間        望遠
焦点距離     28.90      49.09      193.10 
Fナンバー     3.63       4.35        5.79 
半画角（度） 36.82      23.78        6.39 
像高         21.64      21.64       21.64 
レンズ全長  133.49     150.69      183.49 
BF           37.06      37.47       37.18 
d             1.09      15.99       47.86 
d15          23.08      16.24        1.70 
d21           2.31       3.43        7.38 
d24           8.91       6.11        0.60 
d26           1.00       1.13        1.30 
d30           2.92      13.21       30.34 
d32          37.06      37.47       37.18 
入射瞳位置    29.96      59.13      202.17 
射出瞳位置   -32.90     -42.21      -59.65 
前側主点位置  46.92      77.97       10.22 
後側主点位置   8.16     -11.63     -155.91 
ズームレンズ群データ                    
群   始面    焦点距離  レンズ構成長  前側主点位置  後側主点位置
1     1      93.23       13.69       2.11        -6.33 
2     6     -16.62       16.29       3.15        -8.31 
3    16      26.60       10.80       0.86        -6.07 
4    22     -51.98        3.01       0.09        -1.73 
5    25      34.44        5.05       2.25        -1.00 
6    27     -50.21        6.77       5.91         0.99 
7    31     417.96        1.50       3.14         2.36 
単レンズデータ     
レンズ     始面     焦点距離
1          1      -166.49 
2          2        99.71 
3          4       146.34 
4          6     -1390.62 
5          7       -26.62 
6          9       -28.42 
7         11        20.80 
8         13       -30.10 
9         14       591.95 
10         17        27.43 
11         19        28.60 
12         20       -27.35 
13         22        87.52 
14         23       -33.32 
15         25        34.44 
16         27        46.76 
17        29        -23.43 
18        31        417.96 
【００５３】
数値実施例３
単位     mm                    
面データ                         
面番号    r          d          nd        νd      有効径
1     101.023      1.50     1.90200      25.1     57.13 
2      61.800      8.25     1.59522      67.7     54.50 
3    -721.830      0.15                           53.56 
4      44.278      4.02     1.59522      67.7     45.13 
5      75.181      (可変)                         43.80 
6*     60.484      0.05     1.51421      51.4     29.20 
7      56.496      1.15     1.75500      52.3     29.12 
8      14.891      7.01                           22.17 
9     -42.918      1.00     1.80400      46.6     21.22 
10     53.010      0.12                           20.09 
11     31.681      4.28     1.84666      23.8     19.85 
12    -42.265      1.04                           19.10 
13    -24.600      0.90     1.83481      42.7     18.53 
14    732.030      1.50     1.72000      50.2     17.83 
15   -279.055      (可変)                         17.48 
16(絞り)   ∞      0.71                           18.25 
17     28.949      4.48     1.54072      47.2     19.09 
18    -36.690      0.15                           19.05 
19     38.417      4.61     1.57250      57.7     18.20 
20    -23.239      1.00     1.90200      25.1     17.49 
21   -352.677      (可変)                         17.05 
22    -42.358      2.09     1.74077      27.8     16.67 
23    -25.153      0.90     1.79952      42.2     16.62 
24   -115.147      (可変)                          16.60 
25     53.526      0.97     1.84666      23.8     18.97 
26     33.486      5.20     1.61800      63.3     19.14 
27*   -34.762      (可変)                          19.71 
28    -87.698      3.10     1.78470      26.3     19.87 
29    -23.821      1.69                           20.09 
30    -21.005      1.20     1.86400      40.6     19.33 
31    140.144      (可変)                         20.25 
像面     ∞                    
【００５４】
非球面データ                              
第6面                              
K  = 0.00E+00      A 4= 3.45718E-06     A 6=-8.81394E-09
A 8=-5.56875E-12   A10= 1.59833E-13
第27面                              
K  = 0.00E+00      A 4= 2.07348E-05     A 6= 1.22509E-08
A 8= 8.25783E-11   A10=-4.92570E-13
各種データ          
ズーム比      6.68          
広角       中間        望遠
焦点距離     28.90      51.36      193.10 
Fナンバー     3.63       4.38        5.73 
半画角（度） 36.82      22.84        6.39 
像高         21.64      21.64       21.64 
レンズ全長  132.69     149.89      182.69 
BF           39.39      49.77       65.55 
d5            1.05      17.34       48.45 
d15          23.19      15.44        1.84 
d21           1.76       3.18        6.98 
d24           9.24       5.48        0.60 
d27           1.00       1.63       2.22 
d31          39.39      49.77       65.55 
入射瞳位置    30.86      63.83      210.87 
射出瞳位置   -24.70     -22.15      -20.37 
前側主点位置   46.73     78.52      -30.00 
後側主点位置   10.49     -1.59      -127.55 
ズームレンズ群データ                    
群   始面    焦点距離  レンズ構成長  前側主点位置  後側主点位置
1      1      95.00      13.91       1.58        -6.97 
2      6     -16.05      17.04       3.74        -8.21 
3     16      26.85      10.95       1.33        -5.76 
4     22     -78.65       2.99      -0.71        -2.44 
5     25      38.23       6.16       2.41        -1.43 
6     28     -46.23       5.99       4.83        0.73 
単レンズデータ     
レンズ  始面     焦点距離
1      1      -179.73 
2      2        96.02 
3      4       172.61 
4      6     -1673.34 
5      7       -27.11 
6      9       -29.36 
7     11        21.97 
8     13       -28.49 
9     14       280.78 
10     17        30.66 
11     19        26.00 
12     20       -27.62 
13     22        79.48 
14     23       -40.43 
15     25      -108.03 
16     26        28.43 
17     28        40.80 
18     30       -21.07 
【００５５】
【表１】
2015172612.tif 000004
【符号の説明】
【００５６】
Ｌ１  第１レンズ群      Ｌ２  第２レンズ群      Ｌ３  第３レンズ群
Ｌ４  第４レンズ群      Ｌ５  第５レンズ群      Ｌ６  第６レンズ群
Ｌ７  第７レンズ群      ＳＰ  開口絞り
【図１】
2015172612.tif 000005
【図２】
2015172612.tif 000006
【図３】
2015172612.tif 000007
【図４】
2015172612.tif 000008
【図５】
2015172612.tif 000009
【図６】
2015172612.tif 000010
【図７】
2015172612.tif 000011
【図８】
2015172612.tif 000012